【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
循環移動するパレット上に粉鉱石と炭材を含む焼結原料を装入して、パレット上に焼結原料の装入層を形成する装入工程と、
装入層表面の炭材に点火炉を使って点火する点火工程と、
気体燃料を装入層上方の空気中に供給して希釈し、燃焼下限濃度以下の希釈気体燃料を得る希釈気体燃料生成工程と、
パレット下に配置されたウインドボックスの吸引力により、上記希釈気体燃料と空気とを装入層内に吸引し、該希釈気体燃料を焼結層内において燃焼させると同時に、装入層内に吸引した空気により、該装入層内の炭材を燃焼させることにより、焼結ケーキを生成させる燃焼工程とを有する焼結鉱の製造方法において、
上記燃焼工程は、焼結原料中の炭材量および／または希釈気体燃料の供給量または濃度を変えることによって、焼結層内の最高到達温度を１２００℃超え１３８０℃未満に保持する工程、および／または、装入層内の温度が１２００℃以上に保持される高温域保持時間の延長を図る工程であることを特徴とする焼結鉱の製造方法。
【請求項２】
上記燃焼工程では、最高到達温度を１２０５〜１３５０℃に保持することを特徴とする請求項１に記載の焼結鉱の製造方法。
【請求項３】
上記燃焼工程では、装入層の上から導入した希釈気体燃料の少なくとも一部を未燃焼のまま前記装入層中の焼結層の燃焼・溶融帯に到達するようにして燃焼させることを特徴とする請求項１または２に記載の焼結鉱の製造方法。
【請求項４】
上記燃焼工程では、装入層の上から導入した希釈気体燃料を装入層内で燃焼させることによって、燃焼・溶融帯の高さ方向の厚みおよび／またはパレット進行方向の幅を拡大させることを特徴とする請求項１〜３のいずれか１項に記載の焼結鉱の製造方法。
【請求項５】
上記燃焼工程では、装入層の上から導入した希釈気体燃料を装入層内で燃焼させることによって、燃焼・溶融帯の高温域保持時間を延長させることを特徴とする請求項１〜４のいずれか１項に記載の焼結鉱の製造方法。
【請求項６】
上記燃焼工程では、希釈気体燃料の装入層への導入位置を変化させることを特徴とする請求項１〜５のいずれか１項に記載の焼結鉱の製造方法。
【請求項７】
上記燃焼工程では、希釈気体燃料の装入層への導入を、点火炉以降の位置で行うことを特徴とする請求項１〜６のいずれか１項に記載の焼結鉱の製造方法。
【請求項８】
上記燃焼工程では、希釈気体燃料の装入層への導入を、装入層表層部に焼結ケーキが生成されてから焼結が完了するまでの間に行うことを特徴とする請求項１〜７のいずれか１項に記載の焼結鉱の製造方法。
【請求項９】
上記燃焼工程では、希釈気体燃料の焼結層内への導入を、燃焼・溶融帯の厚みが１５ｍｍ以上となる領域において行うことを特徴とする請求項１〜８のいずれか１項に記載の焼結鉱の製造方法。
【請求項１０】
上記燃焼工程では、希釈気体燃料の装入層への導入を、燃焼前線が装入層表層下１００ｍｍに達した位置以降で行うことを特徴とする請求項１〜９のいずれか１項に記載の焼結鉱の製造方法。
【請求項１１】
上記燃焼工程では、希釈気体燃料の装入層への導入を、装入層の両サイドウォール近傍において行うことを特徴とする請求項１〜１０のいずれか１項に記載の焼結鉱の製造方法。
【請求項１２】
上記希釈気体燃料は、燃焼下限濃度の７５％以下かつ２％以上の濃度に希釈された可燃性ガスであることを特徴とする請求項１〜１１のいずれか１項に記載の焼結鉱の製造方法。
【請求項１３】
上記希釈気体燃料は、燃焼下限濃度の６０％以下かつ２％以上の濃度に希釈された可燃性ガスであることを特徴とする請求項１〜１１のいずれか１項に記載の焼結鉱の製造方法。
【請求項１４】
上記希釈気体燃料は、燃焼下限濃度の２５％以下かつ２％以上の濃度に希釈された可燃性ガスであることを特徴とする請求項１〜１１のいずれか１項に記載の焼結鉱の製造方法。
【請求項１５】
上記気体燃料は、高炉ガス、コークス炉ガス、高炉・コークス炉混合ガス、都市ガス、天然ガス、メタンガス、エタンガス、プロパンガスおよびそれらの混合ガスのうちから選ばれるいずれかの可燃性ガスであることを特徴とする請求項１〜１４のいずれか１項に記載の焼結鉱の製造方法。
【請求項１６】
循環移動するパレットと、
そのパレット上に粉鉱石と炭材を含む焼結原料を装入して装入層を形成する原料供給装置と、
その焼結原料中の炭材に点火するための点火炉と、
上記パレットの下方にウインドボックスを備える焼結機において、
上記点火炉の下流側に、気体燃料を装入層上方の大気中に吐出し、空気と混合させて、燃焼下限濃度以下の希釈気体燃料とする気体燃料供給装置が配設されてなることを特徴とする焼結機。
【請求項１７】
上記気体燃料供給装置は、パレットの幅方向に沿って、複数の気体燃料供給パイプを配設し、そのパイプには、気体燃料を吐出するスリットあるいは開口を設けるかまたはノズルを配設してなる構造を有するものであることを特徴とする請求項１６に記載の焼結機。
【請求項１８】
上記気体燃料供給装置は、パレットの進行方向に沿って、複数の気体燃料供給パイプを配設し、そのパイプには、気体燃料を吐出するスリットあるいは開口を設けるかまたはノズルを配設してなる構造を有するものであることを特徴とする請求項１６に記載の焼結機。
【請求項１９】
上記気体燃料供給装置は、燃料供給パイプに気体燃料を吐出するスリットあるいは開口を設けるかまたはノズルを配設してなる構造であって、その開口径を直径０．５〜３ｍｍφの範囲としたものであることを特徴とする請求項１６に記載の焼結機。
【請求項２０】
上記気体燃料供給装置は、パレット幅方向における気体燃料の供給量を変えることができるものであることを特徴とする請求項１６〜１９のいずれか１項に記載の焼結機。
【請求項２１】
上記気体燃料供給装置は、パレット幅方向の吸引速度の分布に応じて、吸引速度の大きい部分には多くの燃料を供給し、吸引速度の小さい部分には燃料供給量を少なくすることにより、吸引空気量当りの燃料濃度を一定に保てるようにしたことを特徴とする請求項１６〜２０のいずれか１項に記載の焼結機。
【請求項２２】
上記気体燃料供給装置は、気体燃料を、装入層の上方で、装入層に向かって下方に吐出させるものであることを特徴とする請求項１６〜２１のいずれか１項に記載の焼結機。
【請求項２３】
上記気体燃料供給装置は、気体燃料を、装入層の上方で、装入層表面に平行に吐出させるものであることを特徴とする請求項１６〜２１のいずれか１項に記載の焼結機。
【請求項２４】
上記気体燃料供給装置は、気体燃料を、装入層の上方で、反射板に向かって吐出させるものであることを特徴とする請求項１６〜２１のいずれか１項に記載の焼結機。
【請求項２５】
上記気体燃料供給装置は、気体燃料供給パイプに設けられた気体吐出用スリット、開口あるいはノズルの向きを、装入層表面に向けて、その垂直方向に対して±９０度の範囲で分散させたものであることを特徴とする請求項１６〜２１のいずれか１項に記載の焼結機。
【請求項２６】
上記気体燃料供給装置は、気体燃料供給パイプの軸を中心に回転可能とし、吐出方向を揺動させるものであることを特徴とする請求項１６〜２１のいずれか１項に記載の焼結機。
【請求項２７】
上記気体燃料供給装置は、気体燃料の吐出を、装入層表面上方３００ｍｍ以上の高さで行なうものであることを特徴とする請求項１６〜２６のいずれか１項に記載の焼結機。
【請求項２８】
上記気体燃料供給装置は、装入層表面上方３００ｍｍ以上の高さで、気体燃料の吐出位置を変える昇降機構を有することを特徴とする請求項１６〜２６のいずれか１項に記載の焼結機。
【請求項２９】
上記気体燃料供給装置は、気体燃料を、その気体燃料の燃焼速度の２倍以上の速度で吐出させることを特徴とする請求項１６〜２８のいずれか１項に記載の焼結機。
【請求項３０】
上記気体燃料供給装置は、気体燃料を、その気体燃料の乱流燃焼速度の２倍以上の速度で吐出させることを特徴とする請求項１６〜２９のいずれか１項に記載の焼結機。
【請求項３１】
上記気体燃料供給装置は、気体燃料を、前記ノズル、開口部またはスリットから、雰囲気圧力に対して３００ｍｍＡｑ以上４００００ｍｍＡｑ未満の圧力で吐出させることを特徴とする請求項１６〜３０のいずれか１項に記載の焼結機。
【請求項３２】
上記気体燃料供給装置は、焼結機の機長方向の点火炉下流側に少なくとも１以上配設されてなることを特徴とする請求項１６〜３１のいずれか１項に記載の焼結機。
【請求項３３】
上記気体燃料供給装置は、パレット進行方向において、燃焼前線が装入層表層下に進行した段階から焼結が完了するまでの間の位置に配設されてなることを特徴とする請求項１６〜３２のいずれか１項に記載の焼結機。
【請求項３４】
上記気体燃料供給装置は、サイドウォール近傍に配設されてなることを特徴とする請求項１６〜３３のいずれか１項に記載の焼結機。
【請求項３５】
上記気体燃料は、高炉ガス、コークス炉ガス、高炉・コークス炉混合ガス、都市ガス、天延ガス、メタンガス、エタンガス、プロパンガスおよびそれらの混合ガスのうちから選ばれるいずれかの可燃性ガスであることを特徴とする請求項１６〜３４のいずれか１項に記載の焼結機。
【請求項３６】
上記気体燃料は、都市ガス１３Ａ、プロパンガスのいずれかであることを特徴とする請求項１６〜３４のいずれか１項に記載の焼結機。
【請求項３７】
上記気体燃料は、ＣＯ含有量が５０ｍａｓｓｐｐｍ以下のものであることを特徴とする請求項１６〜３６のいずれか１項に記載の焼結機。
【請求項３８】
上記気体燃料は、気体状態での着火温度が、焼結ベッド表層の温度より高い液体燃料を気化させたものであることを特徴とする請求項１６〜３４および３７のいずれか１項に記載の焼結機。
【請求項３９】
上記液体燃料は、アルコール類、エーテル類、石油類、その他の炭化水素系化合物類であることを特徴とする請求項３８に記載の焼結機。
【請求項４０】
上記液体燃料を用いる場合の気体燃料供給配管は、液体燃料の沸点以上着火温度未満に保持されてなることを特徴とする請求項３８または３９に記載の焼結機。
【手続補正２】
【補正対象書類名】明細書
【補正対象項目名】００１８
【補正方法】変更
【補正の内容】
【００１８】
上記目的を達成するために、本発明は、循環移動するパレット上に粉鉱石と炭材を含む焼結原料を装入して、パレット上に焼結原料の装入層を形成する装入工程と、装入層表面の炭材に点火炉を使って点火する点火工程と、気体燃料を装入層上方の空気中に供給して希釈し、燃焼下限濃度以下の希釈気体燃料を得る希釈気体燃料生成工程と、パレット下に配置されたウインドボックスの吸引力により、上記希釈気体燃料と空気とを装入層内に吸引し、該希釈気体燃料を焼結層内において燃焼させると同時に、装入層内に吸引した空気により、該装入層内の炭材を燃焼させることにより、焼結ケーキを生成させる燃焼工程とを有する焼結鉱の製造方法において、上記燃焼工程は、焼結原料中の炭材量および／または希釈気体燃料の供給量または濃度を変えることによって、焼結層内の最高到達温度を１２００℃超え１３８０℃未満に保持する工程、および／または、装入層内の温度が１２００℃以上に保持される高温域保持時間の延長を図る工程であることを特徴とする焼結鉱の製造方法を提案する。
【手続補正３】
【補正対象書類名】明細書
【補正対象項目名】００１９
【補正方法】変更
【補正の内容】
【００１９】
本発明の焼結鉱の製造方法において、上記燃焼工程では、
（ａ）最高到達温度を１２０５〜１３５０℃に保持すること、
（ｂ）装入層の上から導入した希釈気体燃料の少なくとも一部を未燃焼のまま前記装入層中の焼結層の燃焼・溶融帯に到達するようにして燃焼させること、
（ｃ）装入層の上から導入した希釈気体燃料を装入層内で燃焼させることによって、燃焼・溶融帯の高さ方向の厚みおよび／またはパレット進行方向の幅を拡大させること、
（ｄ）装入層の上から導入した希釈気体燃料を装入層内で燃焼させることによって、燃焼・溶融帯の高温域保持時間を延長させること、を特徴とする。
【手続補正４】
【補正対象書類名】明細書
【補正対象項目名】００２０
【補正方法】変更
【補正の内容】
【００２０】
また、本発明の方法において、上記燃焼工程では、
（ａ）希釈気体燃料の装入層への導入位置を変化させること、
（ｂ）希釈気体燃料の装入層への導入を、点火炉以降の位置で行うこと、
（ｃ）希釈気体燃料の装入層への導入を、装入層表層部に焼結ケーキが生成されてから焼結が完了するまでの間に行うこと、
（ｄ）希釈気体燃料の焼結層内への導入を、燃焼・溶融帯の厚みが１５ｍｍ以上となる領域において行うこと、
（ｅ）希釈気体燃料の装入層への導入を、燃焼前線が装入層表層下１００ｍｍに達した位置以降で行うこと、
（ｆ）希釈気体燃料の装入層への導入を、装入層の両サイドウォール近傍において行うこと、を特徴とする。
【手続補正５】
【補正対象書類名】明細書
【補正対象項目名】００２３
【補正方法】変更
【補正の内容】
【００２３】
また、本発明は、循環移動するパレットと、そのパレット上に粉鉱石と炭材を含む焼結原料を装入して装入層を形成する原料供給装置と、その焼結原料中の炭材に点火するための点火炉と、上記パレットの下方にウインドボックスを備える焼結機において、上記点火炉の下流側に、気体燃料を装入層上方の大気中に吐出し、空気と混合させて、燃焼下限濃度以下の希釈気体燃料とする気体燃料供給装置が配設されてなることを特徴とする焼結機である。
【手続補正６】
【補正対象書類名】明細書
【補正対象項目名】００２４
【補正方法】変更
【補正の内容】
【００２４】
本発明における上記気体燃料供給装置は、
（ａ）パレットの幅方向に沿って、複数の気体燃料供給パイプを配設し、そのパイプには、気体燃料を吐出するスリットあるいは開口を設けるかまたはノズルを配設してなる構造を有するものであること、
（ｂ）パレットの進行方向に沿って、複数の気体燃料供給パイプを配設し、そのパイプには、気体燃料を吐出するスリットあるいは開口を設けるかまたはノズルを配設してなる構造を有するものであること、を特徴とする。
【手続補正７】
【補正対象書類名】明細書
【補正対象項目名】００２６
【補正方法】変更
【補正の内容】
【００２６】
また、本発明における上記気体燃料供給装置は、
（ａ）パレット幅方向における気体燃料の供給量を変えることができるものであること、
（ｂ）パレット幅方向の吸引速度の分布に応じて、吸引速度の大きい部分には多くの燃料を供給し、吸引速度の小さい部分には燃料供給量を少なくすることにより、吸引空気量当りの燃料濃度を一定に保てるようにしたこと、を特徴とする。
【手続補正８】
【補正対象書類名】明細書
【補正対象項目名】００２８
【補正方法】変更
【補正の内容】
【００２８】
また、本発明における上記気体燃料供給装置は、
（ａ）気体燃料の吐出を、装入層表面上方３００ｍｍ以上の高さで行なうものであること、
（ｂ）装入層表面上方３００ｍｍ以上の高さで、気体燃料の吐出位置を変える昇降機構を有すること、を特徴とする。
【手続補正９】
【補正対象書類名】明細書
【補正対象項目名】００３１
【補正方法】削除
【補正の内容】